(57)【要約】  本発明は、前面（１）と背面（２）との間に入れられる第１の側折り目（３）と第２の側折り目（４）と、上部封止接合部（６）と、少なくとも１つの縦封止接合部（５）とを備えたシート状の包装パックであって、上部封止接合部（６）の下方で、パック内面に、再密閉部が、第１の側折り目（３）の領域に配置され、かつ、パックの一部分（８）が、再密閉部の上方に、充填製品を取り出すために開口される場合に、第１の側折り目（３）は、再密閉可能な注出部を形成する包装パックに関する。発明によるところは、第２の側折り目（４）に、運搬取っ手（１４）が配置され、この運搬取っ手（１４）は、第２の側折り目（４）の長手方向中心に、又は、シート状の包装パックの端部（１５）に方向に、中心からずれて配置されていることである。
2010527857.tif 000002
【特許請求の範囲】
【請求項１】
前面（１）と背面（２）との間に入れられる第１の側折り目（３）と第２の側折り目（４）と、上部封止接合部（６）と、少なくとも１つの縦封止接合部（５）とを備えたシート状の包装パックであって、
上部封止接合部（６）の下方で、パック内面に、再密閉部が、第１の側折り目（３）の領域に配置され、かつ、
パックの一部分（８）が、再密閉部の上方に、充填製品を取り出すために開口される場合に、第１の側折り目（３）は、再密閉可能な注出部を形成する包装パックにおいて、
第２の側折り目（４）に、運搬取っ手（１４）が配置され、
この運搬取っ手（１４）は、第２の側折り目（４）の長手方向中心に、又は、シート状の包装パックの端部（１５）方向に、中心からずれて配置されていることを特徴とするシート状の包装パック。
【請求項２】
請求項１に記載のシート状の包装パックにおいて、
前面（１）、背面（２）、及び、側折り目（３、４）は、少なくとも２層のパックシートを折り畳むことによって形成され、
パックシートは、パック内側の封止機能のあるプラスチックからなる第１の層（１６）と、パック外側の封止機能のない材料からなる第２の層（１７）とからなることを特徴とするシート状の包装パック。
【請求項３】
請求項２に記載のシート状の包装パックにおいて、
第２の側折り目（４）は、２つのすき間（２７）を備え、
運搬取っ手（１４）は、すき間（２７）の端側で境を成すパックシートの部分から構成され、かつ、
運搬取っ手（１４）の領域は、パック内表面で、少なくとも１つの覆いシート部（２５）によって覆われていることを特徴とするシート状の包装パック。
【請求項４】
請求項３に記載のシート状の包装パックにおいて、
運搬取っ手（１４）の領域で、補強シート（２６）が、パック内側で固定され、
運搬取っ手（１４）は、すき間（２７）の端側で境を成すパックシート又は補強シート（２６）の部分から構成されていることを特徴とするシート状の包装パック。
【請求項５】
請求項１又は２に記載のシート状の包装パックにおいて、
運搬取っ手（１４）は、シート状のストリップ（２１）によって構成され、
このシート状のストリップ（２１）は、直接又は運搬シート（３１）を介して、第２の側折り目（４）の内側で固定され、かつ、
このシート状のストリップ（２１）は、開口部（２４）を用いることによって、第２の側折り目（４）に到達し、
運搬取っ手の領域は、パック内表面で、少なくとも１つの覆いシート部（２５）によって覆われていることを特徴とするシート状の包装パック。
【請求項６】
請求項５に記載のシート状の包装パックにおいて、
シート状のストリップ（２１）は、シート状のストリップ（２１）よりも幅のある運搬シート（３１）を介して、パック内側と接続し、
シート状のストリップ（２１）は、長手方向に、運搬シート（３１）の周りに折り畳まれた２つのストリップ端部（２２）の間に、中央の取っ手部分（２３）を備え、かつ、
運搬シート（３１）は、シート状のストリップ（２１）の横で、間接的、又は、直接的に、パック内側と接続していることを特徴とするシート状の包装パック。
【請求項７】
請求項１に記載のシート状の包装パックにおいて、
運搬取っ手（１４）は、第２の側折り目（４）の外側に備えられていることを特徴とするシート状の包装パック。
【請求項８】
請求項１乃至７のいずれかに記載のシート状の包装パックにおいて、
再密閉部は、第１の側折り目（３）を、隣接する前面（１）と背面（２）と、折り曲げ可能に接続し、
第１の側折り目（３）と、隣接する前面（１）又は背面（２）との間の外側端部は、折り目端部（１０）として形成されていることを特徴とするシート状の包装パック。
【請求項９】
請求項８に記載のシート状の包装パックにおいて、
第１の折り目（３）と、前面（１）又は背面（２）との間の折り目端部（１０）は、上部封止接合部（６）にまで延在する長手方向の封止接合によって固められ、かつ、
封止接合部（１８、１９）は、再密閉部の端部と隣接し、この封止接合部（１８、１９）は、シート状の包装パックの前面（１）と背面（２）と接続し、かつ、上部封止接合部（６）又は第２の側折り目（４）にまで延在し、かつ、
密閉されたシート状の包装パックの最初の開口のために、切り取り線（９）が備えられ、
この切り取り線（９）は、熱融着によって形成された型押し線と、型押し線が重なり合ったレーザー接合部との組み合わせからなることを特徴とするシート状の包装パック。
【請求項１０】
請求項１乃至９のいずれかに記載のシート状の包装パックにおいて、
再密閉部は、自身を固定可能な再密閉ストリップ（７）によって構成されることを特徴とするシート状の包装パック。
【請求項１１】
請求項１０に記載のシート状の包装パックにおいて、
再密閉ストリップ（７）は、縁状の密閉素子１２を備えることを特徴とするシート状の包装パック。
【請求項１２】
請求項１乃至９のいずれかに記載のシート状の包装パックにおいて、
再密閉部は、少なくとも突出部を備えた凸状の再密閉ストリップと、少なくとも突出部のための収容部を備えた凹状の再密閉ストリップとからなることを特徴するシート状の包装パック。
【請求項１３】
請求項１乃至１２のいずれかに記載のシート状の包装パックにおいて、
シート状の包装パックの開放前に、再密閉部の上方に配置されたパックの一部分（８）に、再密閉部が密閉されていることを特徴とするシート状の包装パック。
【請求項１４】
請求項１乃至１３のいずれかに記載のシート状の包装パックにおいて、
第１の側折り目（３）によって形成された注出部は、前面（１）と背面（２）との間の再密閉を可能にするために、開閉可能であることを特徴とするシート状の包装パック。
【発明の詳細な説明】
【技術分野】
【０００１】
本発明は、前面と背面との間に入れられる第１の側折り目と第２の側折り目と、上部封止接合部と、少なくとも１つの縦封止接合部とを備えたシート状の包装パックに関し、この場合、上部封止接合部の下方で、パック内面に、再密閉部が、第１の側折り目の領域に配置され、かつ、パックの一部分が、再密閉部の上方に、充填製品を取り出すために開口される場合に、第１の側折り目は、再密閉可能な注出部を構成する。
【背景技術】
【０００２】
上記構成を備えたシート状の包装パックは、注入された製品、例えば、動物のための乾燥飼料の包装に適し、再密閉部を備えている。この再密閉部は、包装の中身を一部の量空けること、又は、取り出すことを可能にしている。ペレット状の動物の餌を比較して、包装する製品として、例えば、洗剤、猫の敷き藁、まき塩、及び、粉状又は粒状の構成材料が問題となる。密閉部の上方のパックの一部分で、シート状の包装パックを開封した後で、充填製品の汚染が、再密閉によって回避される。この再密閉は、湿気からの保護と、食品や動物の餌の場合に、臭いからの保護を保証している。製品の取り出しは、第１の側折り目の開封によって生じ、この場合、この側折り目は、再密閉の開封に従って、外に引っ張り出し可能であり、かつ、注出部として使用可能である。開口部は、密閉することも可能である。再密閉部は、いわゆる、ジッパー密閉として構成され、このジッパー密閉は、手の圧力で接続可能であり、かつ、静止結合又はクリップ結合を構成する縁状の溝素子と弾性素子を備えている。例えば、ファスナーでの更なる再密閉や自動接着のキャリアーを備えた再密閉も考えられる。
【０００３】
初めに記載された特徴を備えたシート状の包装パックは、国際公開第２００４/０９２０２５号パンフレットから公知である。これは、チューブによって折り畳まれたシートからなる。折り畳みによって作成されるチューブは、横になった側折り目を備え、かつ、側面に、縦封止接合部と、上側の上部封止接合部を用いて密閉される。上部封止接合部の下方に、第１の側折り目の再密閉部が配置され、この再密閉部は、連続した再密閉ストリップから構成されている。Ｗ形状に折り畳まれた再密閉ストリップは、第１の側折り目に配置され、それ自身は補強されていない。再密閉ストリップは、側折り目の幅より長く、かつ、側折り目の内側、及び、包装パックの前面と背面を構成する隣接したパック表面で固定されている。最初の使用のために、パック内側に配置された再密閉部の上方のパックの一部分は、切り取り線に沿ってちぎられる。包装された製品を取り出すために、第１の側折り目が、再密閉部の領域で折り畳まれ、再密閉可能な注出口が形成される。シート状の包装パックの再密閉のために、第１の側折り目の上部が、折り畳まれた状態で構成され、この場合、再密閉ストリップは、Ｕ形状に延在している。
【０００４】
独国実用新案第２０３１１３８６号明細書から、シート状のストリップから構成される運搬取っ手を備えたシート状の包装パックが公知である。シート状のストリップは、シート状の包装パックの上半分に配置され、かつ、その両端部と、パックの側壁とが接続されている。シート状の包装パックは、側折り目パックとして、前面、背面、及び、２つの側面とで構成される。この場合、パックの上端で、再密閉部が備えられ、かつ、シート状のストリップが、再密閉部の近くで、容器の上端に配置されている。
【先行技術文献】
【特許文献】
【０００５】
【特許文献１】国際公開第２００４/０９２０２５号パンフレット
【特許文献２】独国実用新案第２０３１１３８６号明細書
【特許文献３】独国実用新案第２０１１５１８１号明細書
【発明の概要】
【発明が解決しようとする課題】
【０００６】
本発明は、最初に述べた特徴を備えたシート状の包装パックを、より簡単に取り扱うことを更に備えることを課題としている。特に、重い及び／又は大きなシート状の包装パックの場合にも、充填製品を取り分ける際に、個々の分量を正確に取り分けることを可能にすべきである。
【課題を解決するための手段】
【０００７】
最初に述べた特徴を備えたシート状の包装パックに基づく課題は、第２の側折り目に、運搬取っ手が配置され、この運搬取っ手は、第２の側折り目の長手方向中心に、又は、シート状の包装パックの端部方向に、中心からずれて配置されていることによって解決される。最初の開封前に、シート状の包装パックは、運搬取っ手によって、非常に簡単な方法で、運搬可能である。本発明によると、一方に、注出部が、他方に、運搬取っ手が、向かい合うシート状の包装パックの側折り目に配置されている。最初のパックの開封後、及び、第１の側折り目から構成される注出部の外側への折り曲げ後に、運搬取っ手に固定されたパックは、わずかな努力で、簡単に傾けることが可能である。この場合、特に器用でなくても、出てくる包装製品の正確な取り分けが可能である。運搬取っ手の配置することによって、第２の側折り目の長手方向に沿って、運搬取っ手が固定されたシート状の包装パックの静止状態を変化させることが可能である。運搬取っ手が、例えば、第２の側折り目の長手方向の中心に配置されたならば、完全に満たされたシート状の包装パックの場合、静止状態で、第１の側折り目と第２の側折り目は、ほぼ水平に向いている。運搬取っ手を、パック上側に移動させた場合、中心の配置より、注出部が少し持ち上げられ、かつ、運搬取っ手を、シート状の包装パックの底部の方向に移動させた場合、注出部は、静止状態で、下ろされる。シート状の包装パックの運搬取っ手を中心に配置した場合、非常に快適に運搬することが可能である一方で、シート状のパックの底方向に中心から離れて、運搬取っ手の配置は、特に簡単な方法で、シート状の包装パックを完全に空にすることが可能である。
【０００８】
本発明の範囲では、前面、背面、２つの側折り目は、それぞれ、分離したシート部として、提供され、かつ、シート状包装パックの構成のために、一緒に継ぎ合わされている。しかし、本発明の好ましい実施例では、前面、背面、及び、側折り目は、少なくとも２層のパックシートを折り畳むことによって形成され、パックシートは、パック内側の封止機能のあるプラスチックからなる第１の層と、パック外側の封止機能のない材料からなる第２の層とからなっている。パックシートの内面は、例えば、製品を封止可能なポリオレフィンからなる。パックシートとして、例えば、ポリエチレンテレフタラート（ＰＥＴ）からなる外面と、ポリエチレン（ＰＥ）からなる内面とを備えた接合シートが適切である。内面と外面との間に、節約することなしに、安定性及び/又はバリア効果を高めるためには、更なるシート層が配置されることが可能である。様々な気体、湿度、臭いに関する、非常に良好なバリア効果を達成するために、例えば、薄い金属層を設けることが可能である。様々なポリマーからなる層を備えた接合材料は、本発明の範囲内であり、この場合、好ましくは、内面のポリマー組成は、適切の封止温度場合でのみ、内面が溶解するっように生成されている。例えば、共押し出しポリエチレン、又は、高密度ポリエチレン（ＨＤＰＥ）からなる複数層の薄膜シート層が適している。このようなシートは、引っ張り強度、引裂強度、及び、破壊強度で好ましい。本発明によると、全てのシートパックは、ポリエチレンから製造され、それゆえ、容易にリサイクルされる。
【０００９】
外面にあるシート層は、通常の方法で、その外側又は内側に、模様がプリントされている。内側に印刷する場合、このプリントは、外側層のラミネート加工する前に、少なくとも１つの更に内部にある層を用いて施され、かつ、製造されたシート状の包装パックの場合、その内部にある配置によって、磨耗から守っている。外側に印刷する場合、プリントされた像を守るために、任意に、薄い保護層が設けられる。再密閉部は、パック内側で、第１の側折り目に配置され、かつ、運搬取っ手は、第２の側折り目に配置されるため、包装パックの前壁や後壁上の外見の印象やプリントされた像は、取り扱い装置によって、損なわれることはない。
【００１０】
運搬取っ手のための様々の好ましい形態は、本発明の範囲内にあることは明らかである。運搬取っ手の第１の好ましい形態の範囲では、運搬取っ手が、分離したシート状のストリップとして、第２の側折り目の外側に取り付けられ、又は、第２の側折り目の外側が、熱融着可能であれば封止される。運搬取っ手の配置は、この形態の範囲で、特に簡単な方法で行われ、この場合、シート状の包装パックの不浸透性は、運搬取っ手の領域で、減少する。
【００１１】
運搬取っ手の第２の形態の範囲では、第２の側折り目は、２つのすき間を備え、運搬取っ手は、このすき間の端側で境を成す側折り目の部分から構成され、かつ、この運搬取っ手の領域は、パック内表面で、少なくとも１つの覆いシート部によって覆われている。その際、側折り目の部分は、シート状の包装パックの外表面に設けられた取っ手部分を形成し、この場合、すき間によって構成された開口部は、パック内側で、覆いシート部によって覆われている。この形態の範囲で、取っ手部分が、第２の側折り目自身によって形成され、このため、取っ手部を構成するシート状のストリップの費用のかかる供給や正確な位置合わせが必要ない。取っ手部を端部側で境を成すすき間は、シート状の包装パックを製造する場合に、型出し、切断、又は、そのような特に簡単な方法で作成される。
【００１２】
すき間は、本発明の実施を特に簡単に実現するために、直線、平行に伸びる線として形成される。しかし、この場合、節約することなく、例えば、負荷を効率化するために、弓状の伸ばすことも可能である。運搬取っ手の図示した、さらに好ましい実施形態の範囲では、取っ手部分の領域で、補強シートが、パック内側で固定され、取っ手部分は、すき間の端側で境を成すパックシート又は補強シートの部分から構成されている。好ましくは、熱融着によって第２の側折り目の内面に固定された補強シートによって、取っ手部の耐久力が上がる。その結果、重いシート状の包装パックも運搬することが可能である。２つの側折り目の内表面の補強シートを封止する２つの封止接合部の間に、すき間が配置される場合、特に高い負荷が生じる。特に密に密閉を保証するために、覆いシート部、好ましくは、補強シートが、完全に覆っている。この場合、補強シートは、それ自身を密閉する覆いシート部とパック内側との封止接合部の周りを走ることによって、取り囲まれている。
【００１３】
更なる他の形態の範囲では、運搬取っ手は、分離したシート状のストリップによって構成され、このシート状のストリップは、直接又は運搬シートを介して、第２の側折り目の内側で固定され、かつ、このシート状のストリップは、開口部を用いることによって、第２の側折り目に到達し、この場合、運搬取っ手の領域は、パック内表面で、少なくとも１つの覆いシート部によって覆われている。
【００１４】
シート状のストリップは、例えば、その両端と、第２の側折り目の内側に、粘着剤又は熱融着によって固定され、この場合、シート状のストリップのより中心の取っ手部分は、開口部を介して、第２の側折り目に到達可能である。好ましい更なる形態の範囲では、シート状のストリップは、シート状のストリップよりも幅のある運搬シートを介して、パック内側と接続し、この場合、シート状のストリップは、長手方向に、運搬シートの周りに折り畳まれた２つのストリップ端部の間に、中央の取っ手部分を備え、かつ、運搬シートは、シート状のストリップの横で、間接的、又は、直接的に、パック内側と接続している。このような形態の範囲では、シート状のストリップは、直接ではなく、運搬シートを介して、パックシートと接続している。この場合、シート状の包装パックを運搬する場合に、運搬取っ手に作用する力は、最初に、運搬シート上に分散し、かつ、それによって、シート状のストリップの横の大きな面上に分散される。均一な力分散によって、パックシート及びシート状のストリップのために、同一のシート材料を用いた公知の形態と比較して、荷重を明らかに増加することが可能である。
【００１５】
運搬取っ手の特にたくさんの積載を達成するために、周りを取り囲まれたストリップが部分的に重なり合い、かつ、この重なり合う領域で、例えば、熱融着によって接続されている。その結果、シート状のストリップは、閉ループを形成している。その際、ストリップは、任意に、直接、熱融着又は粘着剤によって、運搬シートと固定される。相互に直接ではなく、運搬シートと接続されていることは、本発明の範囲内である。
【００１６】
運搬シートとシート状のストリップは、パック内側で、少なくとも１つの覆いシート部によって覆われている。覆いシート部は、運搬取っ手の領域で、シート状の包装パックの密の密閉に有用であり、この場合、少なくともシート状のストリップの折り曲げ部は、連続する覆いシート部、又は、２つの覆いシートによって、覆われている。
【００１７】
取っ手部をパック外側に接続することを可能にするために、運搬取っ手の領域のパックシートは、取っ手部の横で伸びる切り口、又は、型抜きされた形状の開口部を備え、これらの切り口や開口部によって、取っ手部は、使用可能である。更に、運搬取っ手の領域で、切り取り線、又は、ミシン目が備えられ、この場合、ミシン目の切り取り線の開口によって、取っ手部は、開放可能である。切り取り線、又は、ミシン目は、好ましくは、それ自身が密閉されていて、その結果、切り取り線、又は、ミシン目によって区切られたシート部分は、第２の側折り目が構成するシートから外に離される。その際、このシート部分は、熱融着接合部及び/又は接着剤によって、取っ手部と接合し、この場合、区切られたシート部分は、開封後に、取っ手部上に残り、かつ、分離した部分として廃棄処理する必要はない。第２の側折り目、シート状のストリップ、補強シート、及び、密閉シートは、好ましくは、熱融着によって互いに接合されている。しかし、通常、接着剤や熱融着によって、接合又は組み合わせることが可能である。運搬ストリップに、非常に高い負荷をかけることを達成するために、この実施例では、２つの重なり合い折り畳まれ、かつ、中心が互いに封止された層から構成される。
【００１８】
シート状の包装パックの開封前に、再密閉部は、第１の側折り目、及び、前面と背面の隣接する部分で、Ｗ形状をしている。シート状の包装パックを、最初に開封するために、封止接合部は、第１の折り目の領域で、容易に分離するように形成されている。しかし、好ましくは、再密閉部の上方に、切り取り線が設けられ、この切り取り線に沿って、シート状の包装パックの端部がちぎられ、その結果、再密閉部が使用可能である。充填製品を取り出すために、第１の側折り目によって形成された再密閉可能な注出部が、外側に折り曲げられ、この場合、この注出部は、再密閉部の形態に応じて、折り畳まれた状態で密閉可能である。しかし、好ましい実施形態では、第１の側折り目によって形成された注出部は、再密閉を再び可能とするために、前面と背面との間で折り曲げ可能であり、この場合、その形態の範囲では、通常、再密閉部は、第１の側折り目を、開放可能に、隣接する前面と平面と結合している。この形態の範囲では、第１の側折り目と、隣接する前面又は背面との間の外側端部は、好ましくは、折り目端部として形成され、この折り目端部は、長手方向封止接合部によって固定されており、かつ、上部封止接合部まで延在している。この際、長手方向の封止接合部は、シート状の包装パックの固定のためだけでなく、第１の側折り目に関して、好ましくはＷ形状の再密閉部の配置が、折り畳まれた状態で形成されている。シート状の包装パックを、更に補強するため、かつ、最初の開封後に、良好な不浸透性を保証するために、封止接合部は、再密閉部と隣接し、この封止接合部は、シート状の包装パックの前面と背面と接続し、かつ、上部封止接合部又は第２の側折り目にまで延在可能である。この際、追加の封止接合部は、再密閉可能な注出部の境界をなしている。
【００１９】
好ましくは、再密閉部の上方に、切り取り線が備えられ、この切り取り線は、熱融着によって形成された型押し線と、接合シートの外層に形成され、かつ、型押し線が重なり合ったレーザー接合部との組み合わせからなる。熱融着によって、シートは、圧力と温度の作用で変形し、かつ、レーザー法によって、型押し線の領域で、部分的な材料除去が、シートの外側で生じている。レーザー接合と、熱融着可能な型押し線との組み合わせが、切り取り線を形成し、この切り取り線は、より良い破き方によることが好ましい。破くことは、簡単に行われ、かつ、所定の膨張によって、切り取り線に沿って生じる。シートの外層上のレーザーによる除去が制限されることによって、切り取り線は、気密に構成されている。切り取り線の領域を介する酸素や水素の浸透は、無視可能である。切り取り線が、長手方向の接合部によって補強された折り目端部を実現するため、有用な切り込みが、長手封止接合部に、破きを促進するために設けられている。
【００２０】
切り取り線は、再密閉部と、それに接続した充填製品領域を上側で密閉する横封止接合部と平行であり、この横封止接合部上のシート状のパックの幅が、第２の側折り目の端部にまで延在している。切り取り線が、再密閉部と平行に延在しており、かつ、垂直又は傾いて進行する部分は、上部封止接合のために流れ出ることは、本発明の範囲内である。
【００２１】
再密閉部は、好ましくは、ジッパー密閉によって形成され、かつ、パックのパック内表面で固定可能なシート運搬部と、このシート運搬部で縁形状の密閉素子とを備えている。この縁形状の密閉素子は、溝接続及び弾性接続の方法の後に、圧力によって、手で、互いにロック可能である。この場合、密閉可能である再密閉ストリップを備えることが可能であり、又は、少なくとも１つの突出部を備えた凸状の再密閉ストリップと、少なくとも突出部のための収容部を備えた凹状の再密閉ストリップとを備えることが可能であることも本発明の範囲内である。シート状の運搬部は、有用な方法で、縁状の密閉素子の両側に配置された２つの封止接合部と、シート状の包装パックを構成するシートと結合している。手でロック可能な再密閉部の横に、例えば、自身がくっつく再密閉ストリップ又はベルクロのような他の再密閉部も、本発明の範囲で、適切である。
【００２２】
再密閉部の取り付けに関して、いくつかの方法が明らかである。再密閉部の長さは、第１の側折り目の幅より大きいことは、本発明の好ましい実施形態である。この場合、再密閉部の中心部は、側折り目の内面に固定され、かつ、再密閉部の両側に延在する端部は、パックの前面又は背面の内側と結合している。第１の側折り目の内面に、第１の再密閉ストリップが配置され、この第１の再密閉ストリップは、パックの外側端部まで延在し、前面と背面に固定された再密閉ストリップと相互作用していることも本発明の範囲内である。再密閉ストリップの好ましい特徴は、例えば、独国実用新案第２０１１５１８１号明細書に記載されている。
【００２３】
本発明の好ましい形態によると、シート状のパックの全ての４つの外側端部は、長手方向封止接合部によって、固定されている。シート状の包装パックは、シートパックを折ることによって形成された場合、シート状の包装パックを表皮側で密閉する長手方向の封止接合部は、前面や背面に沿って進行することに制限されず、又は、側折り目の一つの境をなす端部に進行することも可能である。実施形態の範囲では、シート状の包装パックを表皮側で密閉する長手方向封止接合部は、第２の側折り目を、パックの前面と背面と接合している。
【００２４】
以下に、ただ単に実施例を記載した図面に基づいて説明する。
【図面の簡単な説明】
【００２５】
【図１】注ぎ部と運搬取っ手とを備えた、未だ原型に密閉されたシート状の包装パックの側面図を示している。
【図２】斜視図で、開放された状態のシート状の包装パックの他の形態を示している。
【図３】図２の断面Ａ-Ａで、開放されたシート状の包装パックの断面図を示している。
【図４】詳細な図で、運搬取っ手の好ましい形態を示している。
【図５】運搬取っ手の他の好ましい形態の斜視図を示している。
【図６】斜線で、図５の線Ｂ-Ｂに沿っての断面図を示している。
【発明を実施するための形態】
【００２６】
図で示されたシート状の包装パックは、パックシートの折り目によって作成され、かつ、前面１、背面２、中に折畳まれる第１の側折り目３、及び、中に折畳まれる第２の側折り目４を備えている。シート状の包装パックは、縦封止接合部５と、上部封止接合部６と、図示されていない底部封止接合部とによって、密閉される。シート状の包装パックの内部で、上部封止接合部の下方に、再密閉ストリップ７が、再密閉部として固定され、この再密閉ストリップ７は、第１の側折り目３を、隣接するパックの前面１と背面２と開放可能に接合している。この場合、再密閉部は、最初にシート状の包装パックを開ける前に、密閉されている。充填製品を取り出すために、パックシートに備えられた切り取り線９に沿って、再密閉ストリップ７の上方に、パックの一部分８が千切られる。そうして、第１の側折り目３は、密閉可能、かつ、外に折り曲げ可能な注出部を構成する。図１から図３の比較考察から、第１の折り目３と隣接する前面１又は背面２との間の折り目端部１０は、縦封止接合部５によって、硬くなる。この縦封止接合部５は、図示されていない底部封止接合部から、上部封止接合部６まで延在し、かつ、再密閉ストリップ７の領域で中断している。第２の側折り目４も、縦封止接合部５を介して増強されている外側端部で境をなしている。図３の横断面から、シート状のパックを側面側に密閉している縦封止接合部５は、第２の側折り目４で、中へ移動し、かつ、第２の側折り目４は、パックの前面１又は背面２と結合している。縦封止接合部５は、密閉機能を満たしている、一方、他の外側端部に配置されている封止接合は、単に折り目端部１０を増強し、密閉機能を持っていない。
【００２７】
再密閉ストリップ７は、シート状の包装パックの表面で固定されたシート状の担部１１と、このシート状の担部１１に形成された縁状の密閉素子１２とを備え、この密閉素子１２は、ジッパー密閉を構成し、かつ、それ自身が圧力によって噛みあい可能である。第１の側折り目３の折れ目端部１３で、縁状の密閉素子１２が、型抜き部又は破断部によって終了する。そのような装置は、密閉素子１２の縁状の突出部の曲げ応力のために、側折り目領域が開くのを防いでいる。図示されたように、連続して自分自身と噛み合い可能な再密閉ストリップ７に隣接して、一方では、前面１及び背面２で、他方では、第１の側折り目３で、それぞれに付設され、互いに切り離される再密閉ストリップの破断部が設けられている。
【００２８】
再密閉ストリップ７の長さは、第１の側折り目３の幅より大きい。この場合、再密閉ストリップ７の中央部分は、側折り目３の内面で固定され、かつ、その両側に連続したパックの再密閉ストリップ７の端部部分が、前面１又は背面２の内面と結合している。
【００２９】
第２の側折り目４に、図２のように記載された運搬取っ手１４が備えられており、この運搬取っ手１４は、容易に傾けられることによって、充填製品の容易な排出が達成する。第２の側折り目４に沿う運搬取っ手１４の配置は、制限されないが、好ましくは、中心に、又は、シート状の包装パックの端部１５方向に中心からずれて配置されている。
【００３０】
パック状の包装パックを形成するパックシートは、少なくとも長所短所の両面をもつ合成プラスチックであり、この合成プラスクックは、封止機能のあるプラスチックからなるパック内側の第１の層と、封止機能のない材料からなる、特に印刷されたパック外側の第２の層とからなる。第１の層１６には、ポリマーとして、例えば、ポリエチレン、ポリプロピレン、ポリエチレン共重合体、ポリプロピレン共重合体、及び、それらの混合物のような、特に、ポルオレフィンが適している。第２の層１７は、好ましくは、ポリエステル、２軸配向のポリプロピレン（ＢＯＰＰ）、又は、配向したポリアミド（ＯＰＡ）からなる。挙げられた材料は、内側及び外側に、印刷可能である。結合シートは、例えば、酸素透過性、水蒸気透過性、及び、香り透過性に関し、障壁効果を向上させるための薄膜金属層である１つ又はいくつかの中間層からなる。しかし、パックシートは、ポリエチレンからなる多層構造で構成されていることも、本発明の範囲内である。この場合、シート状の包装パックは、廃棄物を処理することが非常に容易である。シート状の包装パックを開口するための切り取り線９は、熱融着によって構成された型押し線と、結合シートの外層に処理され、かつ、型押し線が重なり合ったレーザー接合部との組み合わせからなる。
【００３１】
図１の実施例では、切り取り線９は、再密閉ストリップ７と平行に延在し、かつ、それから、上部封止接合部６に対して垂直な部分に移行する。シート状のパックの前面１と背面２は、垂直な密閉接合部１８を介して接合し、この密閉接合部１８は、再密閉ストリップ７の端部と隣接し、かつ、上部封止接合部６にまで延在している。図２の実施例では、切り取り線９は、再密閉ストリップ７と、それに引き続く充填領域を上側で密閉する横封止接合部１９とに平行に延在し、シートパックの全体の幅上に、第２の側折り目４の端部まで延在している。そこで、切り取り線９は、縦封止結合部によって補強された折り目端部１０に達するため、縦封止結合部で切り込み２０が、裂くために備えられている。
【００３２】
本発明の範囲内で、運搬取っ手１４の形態のために、例示的に図で示された様々の実施例を示している。図１は、特に簡単な形態を示しており、この形態の場合、分離したシート状ストリップ２１が、第２の側折り目４上の外側に、接着剤によって固定され、または、熱融着可能な形態の場合は、シート状の包装パックの外面と、熱融着によって固定されている。
【００３３】
図２による形態の場合、運搬取っ手１４として、シート状のストリップ２１が備えられ、このシート状のストリップ２１は、その端部２２と、第２の側折り目４の内側で封止されている。この場合、シート状のストリップ２１の中央の取っ手部分２３は、開口部２４を介して、第２の側折り目４に到達可能である。その際、運搬取っ手１４の領域は、パック内表面で、覆いシート部２５によって覆われている。
【００３４】
図４は、運搬取っ手１４の他の形態の詳細図を示している。運搬取っ手１４の領域に、補強シート２６が、パック内部側に固定されている。この場合、運搬取っ手１４は、端部側の２つのすき間２７によって区切られるパックシート及び補強シート２６の一部分から構成される。すき間２７は、２つの封止接合部２８aと２８bとの間に配置される。これらの封止接合部２８a、２８bによって、補強シート２６は、パックシートの内面上に封止される。縦方向に進行する封止接合部２８a、２８bによって、パックシート及び補強シート２６は、運搬取っ手１４の領域で、かつ、運搬取っ手１４によって構成された開口部２４に続く領域で、固く結合している。その結果、パックシート及び補強シート２６上の荷重の均一の分配が達成される。補強シート２６は、パック内部で、完全に、覆いシート部２５によって覆われる。覆いシート部２５は、補強部２６を取り囲む周延かつ閉じた封止接合部２８cと、及び、第２の側折り目４の内面と結合しており、それによって、シート状の包装パックの封止が運搬取っ手１４の領域で保証される。荷重により、２つの直線に進行するすき間２７が破けるのを避けるために、すき間のそれぞれに付設された端部の領域に、すき間に対してほぼ横に進行する封止結合部２８ｄが配置されている。封止接合部２８ｄは、すき間２７の端部から、他のすき間に付設された端部に延在し、カーブ状の形である。すき間２７にほぼ横に進行している封止結合部２８ｄは、運搬取っ手１４の方向に湾曲することによって、荷重が、主として、封止結合部２８ｄの中央領域に収納され、それによって、運搬取っ手１４が破ける危険が明らかに減少する。
【００３５】
運搬取っ手１４の更なる他の実施形態が、図５及び図６に記載されている。運搬取っ手１４は、取っ手部２３を備えたシート状のストリップ２１を有し、この場合、この取っ手部２３は、切り取り線又はミシン目２９の開口によって、自由になる。切り取り線又はミシン目２９によって境をなしているシート部３０は、好ましくは、熱融着又は粘着剤によって、取っ手部分２３と接続している。
【００３６】
図６は、図５の線Ｂ−Ｂに沿っての切断面を示しているが、この場合、ミシン目２９又は切り取り線は、まだ開口されておらず、それゆえ、取っ手部２３は、シート状の包装パックの第２の側折り目４の内部に隠れて配置されている。シート状のストリップ２１は、運搬シート３１の上に配置され、この場合、運搬シート３１の端部３２は、シート状のストリップ２１のストリップ端部２２と共に、パックの内側に、折畳まれている。その結果、シート状のストリップ２１は、運搬シート３１を、取っ手部２３の両側が連続するストリップ端部２２で取り囲んでいる。ストリップ端部２２は、部分的に重なり合い、かつ、一方では、運搬シート３１の端部３２と接合し、他方では、運搬シート３１の層を介して、封止接合部２８eによって接合している。その際、シート状のストリップ２１は、閉ループを形成し、それによって、運搬取っ手１４に非常に高い負荷をかけることが達成できる。運搬シート３１とシート状のストリップ２１は、パック内側で、覆いシート部２５によって、覆われている。運搬取っ手１４で、シート状の包装パックを運搬する場合、シート状の包装パックの重量は、シート状のストリップ２１によって、運搬シート３１上で、分散される。この場合、運搬シート３１は、直接、又は、覆いシート部２５を介して、シート状のストリップ２１の横で、パック内側と接続している。その際、負荷は、運搬取っ手１４と第２の側折り目の縦方向に伸びる封止接合部２８fに沿って、分散される。その結果、大きな負荷の場合にも、運搬取っ手１４がちぎれることを回避することが可能である。
【図１】
2010527857.tif 000003
【図２】
2010527857.tif 000004
【図３】
2010527857.tif 000005
【図４】
2010527857.tif 000006
【図５】
2010527857.tif 000007
【図６】
2010527857.tif 000008
【国際調査報告】
2010527857.tif 000009
2010527857.tif 000010
2010527857.tif 000011
2010527857.tif 000012
2010527857.tif 000013
2010527857.tif 000014